(57)【要約】【課題】簡単な構造のゲージを使用することで熟練を要することなく短時間でパチンコ盤面に打ち込んである釘角度を測定し、角度の微調整を可能とした遊技機釘角度測定ゲージを提供する。【解決手段】馬蹄形型のゲージであって、その支持脚自体が角度測定面を構成するものであり、且つその支持脚の下方部の側面に照明部を設けてゲージ使用時の支持脚先端の明るさを維持するパチンコ釘角度測定ゲージ。【選択図】図１
2006346474.tif 000002
【特許請求の範囲】
【請求項１】
基板と該基板の両端に少なくとも２個の支持脚を設け、支持脚の脚部自体が角度測定面を構成するように、矩形状に構成されてその上・下面及び／又は表・裏面で角度測定が可能となり、
支持脚の下方部の表・裏面に照明部を設け、スイッチ部、電源部を基板及び／又は基板を嵌挿可能な中空部を有する４角柱からなるスライド体及び／又は支持脚のいずれかに貼着・付設して、ゲージ使用時の支持脚先端の明るさを維持することを特徴とする、パチンコ釘角度測定ゲージ。
【請求項２】
スイッチ部、電源部を磁性ベース板に貼着・付設し、照明部を豆電球としてその間を配線で結線することにより、該磁性ベース板をゲージを構成する吸磁性金属製基板と取外し自在としたことを特徴とする請求項１記載のパチンコ釘角度測定ゲージ。
【請求項３】
着脱自在な角度測定冶具が磁性ゴム等の磁性材料から構成され、ゲージが鉄材等の磁性材料を吸着可能な吸磁性材料から構成されることを特徴とする請求項１又２記載のパチンコ釘角度測定ゲージ。
【請求項４】
支持脚が、更に基板及び／又は支持脚の途中にも設けられることを特徴とする請求項１〜３のいずれかに記載のパチンコ釘角度測定ゲージ。    
【請求項５】
組立可能に又は１体にしたスライド体に支持脚を一体に及び／又は分解可能に設けたことを特徴とする請求項１〜４のいずれかに記載のパチンコ釘角度測定ゲージ。
【請求項６】
該ゲージの基板、支持脚、スライド体のいずれかに角度測定表示部を設けることを特徴とする請求項１〜５のいずれかに記載のパチンコ釘角度測定ゲージ。
【請求項７】
支持脚を基板に回動可能に設けたことを特徴とする請求項１〜６のいずれかに記載のパチンコ釘角度測定ゲージ。
【請求項８】
基板と支持脚及び／又はスライド体との接触面にラッチを設けて仮固定することを特徴とする請求項１〜７のいずれかに記載のパチンコ釘角度測定ゲージ。
【請求項９】
支持脚の下方に釘傘を係止するフック、段差、短丸棒、短長方板、短四角柱、凹溝、釘軸合線のいずれかを設けることを特徴とする請求項１〜８のいずれかに記載のパチンコ釘角度測定ゲージ。
【請求項１０】
盤面に当接する支持脚の先端面に平面状当接面又は丸型当接面を設けることを特徴とする請求項１〜９のいずれかに記載のパチンコ釘角度測定ゲージ。
【請求項１１】
基板の外形が矩形又は楕円形あることを特徴とする請求項１〜１０のいずれかに記載のパチンコ釘角度測定ゲージ。
【請求項１２】
基板に滑り止め用丸孔及び／又は三角穴及び／又は四角穴を設けることを特徴とする請求項１〜１１のいずれかに記載のパチンコ釘角度測定ゲージ。
【発明の詳細な説明】
【技術分野】
【０００１】
本発明は、パチンコ機のような遊技機の盤面上に打ち込まれた多数本の釘角度を測定し、盤面上の釘位置によって釘を上向き、下向き等所定の角度に調整し、設定するための遊技機釘角度測定ゲージに関するものである。
【背景技術】
【０００２】
大衆の遊戯娯楽機としては種々のものが提供されているが、最も大衆に親しまれ、長年楽しまれている遊技機としてパチンコ機があり、駅の周辺や商店街等において多数のパチンコ店が営業している。パチンコ機は、遊戯玉を打ち、入賞すると決められた遊戯玉が遊戯者（客）に還元され、遊戯玉の数によって商品が提供され、遊戯者に利益がもたらされるものである。
【０００３】
従来使用されているパチンコ機は、パチンコ機本体の垂直盤面には多数本の釘が打ち込まれており、また、複数の役物ｃが配置してある。ハンドル操作により発射された遊戯玉は、案内レールを通り、盤面の遊戯空間に打ち出される。
通常、釘はパチンコ機メーカーで盤面の所定の位置に打たれた状態で出荷されるが、この時点では各釘の向きは一定ではなくバラバラの状態である。
このため、各パチンコ店ではパチンコ機の購入後に店の方針に基づいて全ての釘ｂの角度調整を行っている。更に、店の閉店後あるいは開店前に必要な箇所の釘ｂの角度調整を行い、特に、入賞口に面する釘や入賞口に案内する釘の角度を調整することで各パチンコ機のその日の出球率を制御し、店の利益および客の利益や娯楽性の向上を図っている。
【０００４】
パチンコ機盤面の釘の角度測定や調整は、ハンマーやペンチ等を使用し経験に基ずく目測で行っているが、この作業は非常に難しく熟練を要するために通常は釘師と呼ばれる専門家によってなされている。
しかし、近年、釘師の数が少なく、パチンコ店ではその確保に苦慮しているが、熟練を要することなく釘角度を測定し、調整するための角度測定具が提供されている。
【０００５】
例えば、本願出願人の調査によれば、特許文献１「パチンコ台釘角度測定器」、特許文献２「パチンコ機の釘角度測定装置」および特許文献３「パチンコ機の釘角度測定冶具」等がある。
また、本出願人による特許文献４、特許文献５、特許文献６には、本発明の基礎となる技術が示されている。
即ち、特許文献４「パチンコ釘修正ゲージ」には、馬蹄形型ゲージの支持脚の脚部の一辺に釘を沿わせて角度測定・調整を行うことが、特許文献５「パチンコ釘角度測定ゲージ」には、馬蹄形型ゲージの支持脚の脚部に角度測定冶具を着脱自在に設けて釘をその冶具に沿わせ角度測定・調整を行うことが、特許文献６「パチンコ釘角度測定自在ゲージ」には、馬蹄形型を基本とし、種々の形状のゲージが示され、その支持脚に角度測定冶具を一体に設けて釘をその冶具に沿わせ角度測定・調整を行うことが示されている。
【０００６】
【特許文献１】特開平１０−３００４０４公報
【特許文献２】特開平９−１８２８３２公報
【特許文献３】特開平９−９４３２６公報
【特許文献４】登録実用新案第３０４２６６３号公報
【特許文献５】特開２００２−２２４３２０号公報
【特許文献６】特開２００２−２７２９３０号公報
【発明の開示】
【発明が解決しようとする課題】
【０００７】
以上の公知技術は、１°を単位として釘の角度測定が可能であり、各釘は３０°の範囲内で主として上下に傾斜させることができる。しかし、限定された広さのパチンコ機盤面に多数の釘が打たれているので、釘の間隔は狭く、また、役物が配置してあり、特許文献１の公知技術における「直線辺４やこれと対抗する位置にある対偶辺６」の長さ間隔が大きく、測定すべき釘以外の釘や役物等が邪魔になって効率よく測定ができないものである。
特許文献２の技術では「台座７」の巾間隔が大きいとともに長さが長く、特許文献３の技術では「脚部６や当接面７」の巾間隔が大きいとともに長さが長く、特定の釘角度測定には不向きなものであり、所定の角度を確保できないものであった。しかも、総じて構造が複雑であり、限られた空間内での取り扱いが不便なものであった。
よって、１台のゲージのできる限り多数の角度が容易できることが必要となり、沢山のゲージに持ち替える必要はない。また、新台を入れ替えるような場合、何十台、何百台という数の台を一般的にはその為に店の休みを取るようなことはなく、一夜の内に行うのでその労力は大変なものであった。
【０００８】
本発明は、上記する従来の公知技術の問題点に鑑み、また、本出願人にかかる従来法を発展させるべく、簡単な構造のゲージ本体を使用することで熟練を要することなく短時間で釘角度を測定し、角度の微調整を可能とした遊技機釘角度測定ゲージを提供することを目的とするものである。
【課題を解決するための手段】
【０００９】
上記の目的を達成するために、本発明のゲージでは、馬蹄形型を基本とし、種々の形状のゲージにおいて、その構造上（角度測定上の基板の取扱い、角度測定冶具の種類、支持脚の数等）に種々の工夫を凝らした結果、本発明のゲージを完成するに至った。
即ち、本発明は以下の通りである。
（１）基板と該基板の両端に少なくとも２個の支持脚を設け、しかも該支持脚の上・下方側面及び／又は表裏面及び／又は先端に該支持脚と一体に及び／又は着脱自在に設けられた以下の角度測定冶具とからなるゲージであって、
該角度測定冶具の外形が、（イ）４角錐型（図１９−（ト））、（ロ）円錐型（図２２−（ハ））、逆円錐型（図２２−（ニ））、八角錐型（図２５−（ニ））のいずれかの型、（ハ）長二股型（図２０−（ヘ））又は２枚組の４隅角取り直方板型（図２４−（ホ））、（ニ）ベース板型（図２１−（ト）〜（リ）、図２２−（イ）、（ロ））のいずれかの型である、パチンコ釘角度測定ゲージを提供する。また、
（２）支持脚４の下方部の表裏・面又は該冶具１０に照明部３を設け、スイッチ部６、電源部１２を基板２及び／又は基板を嵌挿可能な中空部を有する４角柱からなるスライド体３０及び／又は支持脚４のいずれかに貼着・付設して、ゲージ使用時の支持脚先端の明るさを維持する（１）記載のパチンコ釘角度測定ゲージを提供する（図１−（イ）、４、１２）。また、
（３）基板と該基板の両端に少なくとも２個の支持脚を設け、しかも該支持脚の上・下方側面及び／又は表裏面及び／又は先端に該支持脚と一体に及び／又は着脱自在に設けられた以下の角度測定冶具とからなるゲージであって、
該角度測定冶具の外形が、（イ）楔型（図１８−（ロ）〜（ト）、図２５−（イ））、３角柱型（図２２−（ヘ）〜（ト））、４角柱型、５角柱型（図２３−（イ）〜（ハ））、６角柱型（図２３−（ニ）〜（ヘ））のいずれかの型、（ロ）円筒型（図２２−（ホ））、長方板型（図１９−（ニ）〜（ヘ）、（チ）〜（ヌ）、図２０（チ））、板形型（矩形状を含む）（図２１−（イ）、（ロ））、台形型（図２１−（ハ））、半円状凹溝付き２面柱型（図２３−（ト））、半円状凹溝付き３面柱型（図２３−（チ））、半円状凹溝付き４面柱型（図２３−（リ）、図２４−（イ））、半円状凹溝付き５面柱型（図２４−（ロ））、半円状凹溝付き５面柱型（図２４−（ロ））、半円状凹溝付き６面柱型（図２４−（ハ））、半円状凹溝付き７面柱型（図２４−（ニ））、半円状凹溝付き７面柱型（図２４−（ニ））、半円状凹溝付き８面柱型（図２４−（ホ））、十字状角柱型（図２４−（ト））、格子状角柱型（図２４−（チ））のいずれかの型であり、
支持脚の下方部の表裏面又は該冶具に照明部を設け、スイッチ部、電源部を基板及び／又は基板を嵌挿可能な中空部を有する４角柱からなるスライド体及び／又は支持脚のいずれかに貼着・付設して、ゲージ使用時の支持脚先端の明るさを維持する、パチンコ釘角度測定ゲージを提供する。また、
【００１０】
（４）スイッチ部６、電源部１２を磁性ベース板２０に貼着・付設し、照明部を豆電球３としてその間を配線３２で結線することにより、該磁性ベース板２０をゲージを構成する吸磁性金属製基板２と取外し自在とした（２）又は（３）記載のパチンコ釘角度測定ゲージを提供する（図１０−（ロ））。また、
（５）着脱自在な角度測定冶具が磁性ゴム等の磁性材料から構成され、ゲージが鉄材等の磁性材料を吸着可能な吸磁性材料から構成される（１）〜（４）のいずれかに記載のパチンコ釘角度測定ゲージを提供する。また、
（６）支持脚が、更に基板及び／又は支持脚の途中にも設けられる（１）〜（５）のいずれかに記載のパチンコ釘角度測定ゲージを提供する（図８）。また、
（７）組立可能に又は１体にしたスライド体３０に支持脚４を一体に及び／又は分解可能に設けた（１）〜（６）のいずれかに記載のパチンコ釘角度測定ゲージを提供する（図１２）。また、
（８）該ゲージの基板、支持脚、スライド体のいずれかに角度測定表示部を設ける（１）〜（８）のいずれかに記載のパチンコ釘角度測定ゲージを提供する（図２）。また、
（９）支持脚４を基板２に回動可能に設けた（１）〜（８）のいずれかに記載のパチンコ釘角度測定ゲージを提供する（図１０）。また、
【００１１】
（１０）基板と支持脚及び／又はスライド体との接触面にラッチを設けて仮固定する（１）〜（９）記載のパチンコ釘角度測定ゲージを提供する。また、
（１１）支持脚の下方に釘傘を係止するフック、段差（図１０）、短丸棒（図１９−（ハ）、図２０−（ト））、短長方板（図２５−（ハ））、短四角柱（図１９−（イ）、（ロ））、凹溝（図２０−（ハ）、（ニ）、図２１−（ニ）〜（ヘ））、釘軸合線（図２０−（ロ）、図２５−（イ））のいずれかを設ける（１）〜（１０）記載のパチンコ釘角度測定ゲージを提供する。また、
（１２）盤面に当接する支持脚の先端面が平面状当接面（図１）、又は丸型当接面（図１０、１８）である（１）〜（１１）記載のパチンコ釘角度測定ゲージを提供する。また、
（１３）基板の外形が矩形又は楕円形である（図１、１６）（１）〜（１２）記載のパチンコ釘角度測定ゲージを提供する。また、
（１５）基板に滑り止め用丸孔及び／又は三角穴及び／又は四角穴を設ける（図３、５、７、１４、１５、１６−（ロ）、１７）（１）〜（１３）記載のパチンコ釘角度測定ゲージを提供する。
【００１２】
本発明の実施の態様を以下に示す。
（１）ゲージがＨ型〔図７、図８（Ｈ型の変形）、図１６（Ｈ型の変形で支持脚が基板に鈍角又は鋭角）〕又は樹木型（図９）である。
（２）基板と支持脚とが一体に及び／又は組立式で支持脚が回動自在（図１０〜１１、１３）であるゲージである。
（３）スライド体にスイッチ部と電源部等とを載せ、支持脚に設けた照明部との間の回路構成を電車のパンタグラフのようにするゲージである（図１２）。
（４）基板と支持脚が着脱自在、支持脚と脚部が着脱自在（図１４、１５）である。
【発明の効果】
【００１３】
（１）本発明のゲージによれば、パチンコ機盤面に打ち込んだ釘の上下方向或いは左右方向の釘角度の測定および調整を短時間にできる。
（２）種々の角度の角度測定冶具の複数を用意することで、パチンコ盤面の多様な釘角度に簡単に対応できる。
（３）Ｈ型ゲージによると、１本のゲージで上向き、下向き夫々４面の釘角度測定が可能であり、また決められた度数単位毎の角度測定面を予め形成しておくと、少ない本数のゲージで多様な角度測定が可能である。
（４）馬蹄形ゲージの基板の反対側に更に複数本の支持脚を設け、その間隔を、左右で異なる無規則列としておくことで、釘の集合体や役物の存在のために一方の支持脚の当接面をパチンコ盤面に接地できない場合でも、基板の反対側の支持脚を使用することで釘の集合体や役物等を回避でき、容易に角度測定が可能である。
（５）本発明のゲージの支持脚の脚部に設ける着脱自在な角度測定冶具を使用することにより、多数のゲージを用意することなく多様な角度測定に対応でき、取り扱いが容易で経済的である。
【００１４】
（６）支持脚の脚部の先端に各種の角度測定冶具を一体に形成することで多様な角度測定が可能であり、また、支持脚の脚部に角度測定冶具を着脱自在としておけば、必要に応じて角度測定部のみを交換して使用することができ、１つのゲージで複数角度の測定ができ、上下左右だけではなく斜め方向の角度測定をも可能とする。
（７）本発明のゲージは、片手で持ちやすく、測定操作がし易いので、角度測定を効率よく短時間で行うことが可能である。
（８）本発明のゲージは、熟練を要することなく釘角度の調整を行うことができ、入賞率や出玉率を制御することができ、釘角度の測定や微調整に限らず、複数台のパチンコ機の特定の釘が同じ傾斜角度を有しているかどうかの確認作業にも使用できるものである。
（９）支持脚の角度測定面の当接面をパチンコ盤面に接地することでゲージは安定し、角度測定面と釘との平行性を高めることができ、角度測定は確実なものとなる。また、当接面は細長く形成してあるので、狭い空間にも入りやすく、使い勝手が良いものである。
（１０）ゲージの支持脚の下方部の表・裏面又は該冶具に照明部を設けると、薄暗い時などでも手元暗くならず、特に釘９と冶具１０との又は釘９と支持脚４との隙間状態を確認し易く使い易い。
（１１）基板２に滑り止め穴１４を設けてあるので、汗等での滑り防止効果が得られる。
（１２）本ゲージにより釘角度を読み取り、他の釘を同一角度に調整することが可能となる。
【発明を実施するための最良の形態】
【００１５】
以下、図面に従って本発明の実施の形態を詳細に説明する。
図１は本発明の釘角度測定ゲージの基本型を示す模式図である。
図１において、ゲージ１は、長形板体の基板２の両端に同一方向、同一突出長の支持脚４、４’を直角状に連設してコ字形状とした馬蹄型であり、ステンレス鋼（ステンレス−ハガネ）等の金属材あるいはアクリル樹脂等の合成樹脂材から構成されている。
【００１６】
（Ａ）滑り止め穴
本発明ののゲージでは（図３、７、１４、１５、１７）、基板２の略中央に丸状の滑り止め孔１４を設ける。この場合、滑り止め孔１４の位置で両側から基板２を指先で持てば、指先が滑り止め孔１４内に入り、基板２を安定して持つことができ、滑り落とすことがない。
滑り止め孔１４は一つに限らず基板２の長さ方向にそって複数個形成しても良い（図５
、６）。或いは滑り止め孔１４に代え、基板２の表面に凹凸面を形成して滑り止めとしても良い。
また、丸状の滑り止め孔１４に代え、図１６に示すように、△状、四角状の角形等の多様な形状をも場合に応じて使用できる。
滑り止め穴は、基板のみならず、支持脚に設けても良い。
その滑り止め孔１４の代わりに、三角状、四角状の穴２３、２３’を設けても良く、また、滑り難い材料であるゴム、シリコン等を施工するか又は指の当たる所にギザギザを施しても良い。
また、この滑り止め技術は、本発明の全てのゲージに応用可能である。
【００１７】
（Ｂ）照明部
、図１のゲージでは、ゲージにより釘角度の測定・調整時に、手元を明るく照らす照明部Ａ、Ｂ３、３’を支持脚４、４’の下方部の表・裏面又は冶具の側面に付設（図１、１２）及び／又は外付け（図１−（イ）、４、図１０−（ロ）、１２参照）できる。
この場合、電源部１２、スイッチ部６を基板２及び／又はスライド体３０（図１２）に設け、それらと照明部Ａ、Ｂ３、３’とを回路Ａ、Ｂ１１、１１’により配線で結線することにより構成させることができる。
回路を２回路とすると、電池、スイッチを２セット設けることや、切替えスイッチを設けることができて使い勝手が良い。
照明部としては、豆電球、ＬＥＤ、蛍光灯、液晶等任意の照明備品と照明用ＩＣ等を含む発光機構を指す。
また、本発明の全てのゲージに応用可能である。
【００１８】
（ａ）スイッチ部
スイッチ部６とは、照明を作動・停止するためのオン・オフ又は回路の分岐機能を持つ押しボタンスイッチ、タッチスイッチ等のスイッチ部を指し、軽量、小粒なものが好ましい。
（ｂ）電源部
電源部１２とは、照明部を作動するための電気的エネルギーを貯えた電池等や収納室等又は外部からの供給部等を指す。
（ｃ）回路部
回路部１１、１１’とは、電源部、スイッチ部、照明部等を有効に作動させるためのコード、プリント配線（ＰＣ，ＦＰＣ）、スライド体３０（図１２参照）のように基板２に対して上下にスライドする場合には、例えば電車のパンタグラフのような摺電部の電気供給装置を指す。また、コードをカール（コイル）状にしても良い。
該スライド体３０は、基板に嵌挿可能な中空部を有する４角柱からなるスライド体を指す。
図１２又は図更に、支持脚と基板、脚部とが一体化しない場合の回路構成は、即ち、支持脚が回転可能（図１０）、支持脚が基板に解離・結合及び／移動可能（図１１、１３）、支持脚と基板が嵌合（図１４）、支持脚と脚部４ｄが嵌合（図１５）する場合の回路構成は、例えば支持脚と基板との接点が互いに結合時に導通するコネクト機構を、支持脚が回動（図１０−（ロ））時にも断絶しない可撓性のあるＦＰＣを用いた接続機構をも指す。
また、図４のゲージによると、基板２の両端に夫々２個づつの支持脚４、４’；４ａ、４ｂを連設し、４個の照明部を結ぶ回路は４個としても良い。
（ｄ）磁性ベース板
図１０−（ロ）に示されるように、電源部１２、スイッチ部６とを磁性ベース板２０に貼着・付設して、該磁性ベース板をゲージを構成する基板２と着脱（取外し）自在としても良い。その場合に、照明部を豆電球としてその間を配線で結線しても良い。
【００１９】
（Ｃ）角度表示全般について
（イ）本明細書に開示の角度測定面の角度を下記のように基板隅に表示する他に、基板等に印刷、レッテル、塗装、シール、刻印、研磨、レーザー加工、薬品等による角度表示部も角度が認識可能であれば、その方法に制限はない。
（ロ）角度表示部は、基板のみならず、支持脚、角度測定冶具に設けても良い。  また、この角度表示技術は本発明の全てのゲージに応用可能である。
（ハ）角度測定面
図１において、この支持脚４、４’の脚部の先細り形状の板体である角度測定面５、５’は、図示しない遊技機の垂直面とした盤面に打ち込んである多数の釘のうち特定の釘角度を測定し、所定の角度に調整する。
この上下に向き合う角度測定面５、５’の先端は、パチンコ盤面８への当接面７、７’となっている。
例えば、外側に位置する角度測定面５は、垂直盤面に対する釘の直角度（９０°）の他に釘の上向き角度（９１°以上）を測定可能とし、内側に位置する角度測定面５’は釘の下向き角度（８９°以下）を測定可能とするものである。そして、上向き角度および下向き角度は、単位を１°毎に異にする角度表示部を角度測定面５、５’に有するゲージ１を多数製作し、用意しておく。
【００２０】
図１−（ロ）、２、３、５−（ロ）は、本発明のゲージを使用してパチンコ盤面８に植設された多数の釘角度の測定・調整の状況を説明するための模式図である。
例えば、図５−（ロ）において、基板２の両端に連設された支持脚４、４’の両肩部の内外部分に角度表示し、特定の釘角度に対応させて所定の角度に調整する際の助けとする。
図２により上記角度表示の仕方を具体的に説明する。
図２−（イ）において、上方に位置する支持脚４の角度測定面５をパチンコ機盤面８に対して９０°（０°）とした場合、下方の支持脚４’の角度測定面５ｂは盤面に対して９１°とする（１°）。
この場合の９１°（１°）は、図２−（ロ）において、支持脚４、４’の上下位置を変え、支持脚４’を上方に位置させた時のパチンコ盤面８に接する当接面７の先端から基板２に向けての上向きの傾斜角度に相当する。
尚、基板２を垂直状態に配設して支持脚４、４’の当接面７をパチンコ盤面８にあてがった時、基板２はパチンコ盤面８と平行となるので、基板２と支持脚４の上辺を直角とすることで角度測定面５を９０°（０°）と設定することもできる。
【００２１】
図２−（イ）において、上方に位置する支持脚４の角度測定面５’は、当接面７先端から基板２に向けて下向き傾斜の８９°（−１°）とし。逆に、図２−（ロ）において、支持脚４、４’の上下位置を反転させ、上方に位置させた時の支持脚４’の角度測定面５ａは当接面７先端から基板２に向けて下向き傾斜の８８°（−２°）とする。
このようにして全体形状は同じでありながら基板２に連設する支持脚４、４’の上向き傾斜角度と下向き傾斜角度を１°毎に異にするゲージ１を多数用意しておき、釘角度の測定や設定に対応するようにしておく。
本発明のゲージにおいては、パチンコ盤面８に対する水平直角９０°（０°）を中心にして上下に５０°を想定して、支持脚４、４’の両肩部の内外部分に角度表示する。
従って、図１−（ロ）、図２に示すゲージ１では、測定範囲は上向き傾斜角度は１４０°まで、また、下向き傾斜角度は４０°までが可能である。
しかし、上下の測定のための角度範囲は５０°の範囲に限定するものではなく、上下に３０°や４０°の範囲としても良く、或いは上下５０°を超える範囲としてもよく、角度の測定範囲は任意に選ぶことができる。
【００２２】
（Ｄ）角度表示
図１−（ロ）、２、３、５−（ロ）には、基板に、釘角度選択がし易いように、各ゲージの支持脚の両肩部の内外部分に角度表示部を設け、角度測定面の傾斜度数を表示する。
この場合、二桁（９０°や９３°等）や三桁（１０２°や１１０°等）の数字を表示することが望ましいが、二桁、三桁の数字を表示する余白がない或いは困難な場合には、図２に示すように、釘の上向き角度９０°は０°、９１°は１°、１０２°は１２°のように下一桁又は下二桁の数字を使用する。
順次に角度数字を１°単位で大きく表示し、最大１４０°（即ち、５０°）までの傾斜度数を表示する。
例えば、釘の下向き角度の場合には８９°は−１°、８８°は−２°、８７°は−３°のように直角９０°から１°単位で引いた−（マイナス）の数字を表示する。最大４０°（即ち、下向き傾斜角度が−５０°）までの傾斜度数を表示できる。
【００２３】
次に、釘角度の測定の仕方について説明する。
図１−（ロ）、図２は、パチンコ盤面８に打ち込んだ釘９の上向き傾斜角度を測定する状態を説明する模式図である。
例えば、図１−（ロ）に示すように、釘９がパチンコ盤面８に対して９０°（０°）の角度で打ち込まれている時、この釘９を上方へ９３°（３°）の傾斜角度にする場合には、予めハンマーやペンチ等を使用して釘９の角度を目測で上方に傾斜させておく。
その後、その支持脚４の角度測定面５が基板２上肩に角度表示で３°（９３°）の傾斜度を有するゲージ１を多数のゲージの中から選択して、ゲージ１の基板２を持ってゲージを垂直状態に配置して上下の支持脚４、４’の当接面７をパチンコ盤面８にあてがい、パチンコ盤面８に対して基板２を平行にした状態で釘９の下面を角度測定面５に沿わせるようにあてがう。
【００２４】
この時点で、釘９と角度測定面５とが平行であれば釘９パチンコ盤面８に対して３°の上向き傾斜角度を有していることが判明する。
もし、釘９と角度測定面５が平行でない場合、例えば、角度測定面５に対して釘９の傾斜度が大きい場合には、釘９の角度を下向きに調整して釘９の傾斜度を角度測定面５と一致させる。
逆に、釘９の傾斜度が３°よりも低い場合には、釘９の角度を３°になるまで上向きに調整すればよい。
この説明は、釘９の上向き角度を測定し、釘９の角度を微調整する場合である。  しかし、釘９は上下方向だけではなく左右方向に傾斜させることもある。
この場合には、図３に示すように、例えば、盤面８に対して釘９を右方向へ３°（９３°）傾斜させたい場合には、ゲージ１を盤面８に対して水平状態に配置し、３°の傾斜度を有する支持脚４の角度測定面５を釘９の左側にあてがえばよい。
釘９が角度測定面５と平行でない場合には、平行になるまで左右に微調整する。釘９を左側へ３°に傾斜させる場合には、釘９の右側に角度測定面５をあてがえばよい。
【００２５】
図４は、図１の馬蹄型ゲージを背中合わせに一体化したＨ型ゲージに相当し、このゲージの４個の支持脚４、４’；４ａ、４ｂに夫々照明部３、３’；３ａ、３ｂを一体に、基板２にスイッチ部６、電源部１２を設け、互いに回路１１、１１’；１１ａ、１１ｂで結線している。
【００２６】
次に、垂直方向における釘９の下向き傾斜角度を測定する場合について説明する。
図５−（ロ）は、釘９を盤面８に対して下向きに−３°（８７°）の傾斜角度とする場合には、ハンマーやペンチ等を使用して釘９をある程度下向きの傾斜状態とする。その後、ゲージ１を盤面８に対して垂直状態に配置し、支持脚４の−３°の角度測定冶具１０に釘９の上面に沿わせるようにあてがい、角度測定冶具１０と釘９との平行状態（傾斜度）を見る。
支持脚４と釘９の傾斜度が一致すれば、即ち、両者の傾斜角度が平行であれば釘９は−３°の決められた傾斜角度を有することになる。
仮に、両者の傾斜度が一致しない場合には、釘９を上下いずれかに微調整し、最終的に−３°の傾斜度とすればよい。
尚、内側の角度測定冶具１０、１０’を使用して釘９の左右角度を測定することも可能である。
【００２７】
上記の説明ではゲージ１は、或る特定の釘９を必要角度にするために釘９の角度を測定し、釘９を決められた角度まで微調整する場合である。
しかし、ゲージ１の使用目的は、釘９の角度の測定・微調整に限るものではない。
既に或る角度に調整してある釘９が本来の傾斜度を有しているかどうか、最終確認をするためにゲージ１を使用することも可能である。特に、複数台のパチンコ機の特定の釘９が決められた傾斜角度を有しているかどうかを確認するためにしようすることもできる。
尚、上記において、角度測定面５は釘９の上向き角度測定に使用する場合、角度測定面５’は釘９の下向き角度測定に使用する場合について説明したが、これに限定するものではない。
＋角度と−角度とを逆算することで角度測定面５は下向き角度測定、角度測定面５’は上向き角度測定にと逆に使用することができる。
【００２８】
図５−（イ）は、図１のゲージに対して、その支持脚４、４’の夫々上方・下方側部に楔状の角度測定冶具１０、１０’を一体に設けると共に、滑り止め孔１４、１４’を基板２の上下に設けたゲージを示す模式図である。
即ち、基板２の両端に支持脚４、４’を連設し、両支持脚４、４’の上方・下方側部に角度測定冶具１０、１０’を一体に形成し、角度測定冶具１０、１０’の頂部は段差１３となっている。
この場合、角度測定冶具１０、１０’の角度傾斜面の傾斜角度を異にするゲージ１を多数製作し、用意しておき、必要な角度のゲージを選択・使用することは図１のゲージの場合と同じである。
なお、支持脚４、４’の内側辺は、釘９の下向き角度測定に使用しても良い。  図５−（ロ）は、図５−（イ）のゲージを用いて釘角度を測定・調整する場合を説明する模式図である。
【００２９】
図６のゲージでは、図５のゲージとは異なり、支持脚４、４’の夫々両側に角度測定冶具１０、１０’を一体に設け矢尻形状にした場合を説明する模式図である。
支持脚４、４’の外側に位置する角度測定冶具１０は釘９の上向き角度を測定し、内側に位置する角度測定冶具１０’は釘９の下向き角度を測定するために使用する。
【００３０】
図７は、図１の馬蹄形ゲージを背中を合わたＨ形状のゲージであり、図１のゲージに対して、その基板２に連設した角度測定面をも構成する支持脚４、４’とは反対側にも複数の同様の支持脚を設けた場合を説明する模式図である。
即ち、図７のゲージは、右方側の支持脚４、４’、その脚部に相当する角度測定面５、５’；左方側の支持脚４ａ、４ａ’、その脚部に相当する角度測定面５ａ、５ａ’で構成されるＨ形状のゲージであって、図１のゲージに対して、基板２の反対側にも支持脚４ａ、４ａ’を互いに平行に連設する。
また、基板２の中央に滑り止め孔１４を設けている。
【００３１】
図１、図５−（イ）、６のゲージでは、角度測定面又は角度測定冶具は支持脚に固定のものである。
また、この楔形角度測定冶具を着脱自在型とすることも可能であり、この場合に角度測定冶具の材質を磁性材料で構成させ、ゲージの材質を鉄材等の磁性材料を吸着可能な鉄、
ステンレス鋼等の吸磁性材料で構成させることが必要である。  図１、図５−（イ）、６のゲージでは、パチンコ盤面８上に釘９の集合体や役物等の邪魔物が設置してある場合には、ゲージの当接面７が釘９の集合体、役物等に突当たって当接面７を接地できず、角度測定ができない事態を生ずる。
このような場合に、図８、９のゲージを使用することにより、上記の問題点を解決できる。
【００３２】
図８に示すゲージは、図１のゲージに対して、基板２の反対側に支持脚４ａ、４ａ’を連設し、支持脚４、４’の間隔よりも支持脚４ａ、４ａ’の間隔を狭くした場合を説明する模式図である。
基本形である図１のゲージは馬蹄形であり、図７のゲージはＨ形であり、図８のゲージは図７のＨ形ゲージの変型である。
これらに対して、図９はそれらの応用に当たる樹木型である。
図９のゲージでは、基板２に連設される支持脚は間隔は同じでない。
従って、障害回避をできる種々のケース、即ち上記釘９の集合体、役物等に突当たって当接面７を接地できず、角度測定ができない事態を回避するべく、図示されるように支持脚の数、長さ、位置、その間隔等は夫々異なっており、これらの要素を考慮した樹木型である。
勿論、樹木型のゲージは図９に制限されずに種々の態様を採用できる。
【００３３】
図１０−（イ）は、支持脚を挿入するための複数個の丸孔１６を有する基板２の両端に、支持脚４、４’を蝶ネジ１５によって回動可能に設け、支持脚４、４’の上下側部に角度測定冶具１０、１０’を一体に設けたゲージを説明する模式図である。
この場合、基板２に取り付けた支持脚を蝶ネジ１５の緩めにより上下に回動可能となる。
また、支持脚を他の丸孔１６に移動可能であって、釘角度の計測時に役物等から容易に回避できる。
【００３４】
図１０−（ロ）は、図１０−（イ）のゲージに、豆球ランプ等からなる照明部Ａ３を設け、スイッチ部６と電源部１２とを纏めて磁性ベース板２０を吸磁性の基板上に載せたゲージを説明する模式図である。
勿論、ゲージ全体を吸磁性材料で構成させても良い。
この磁性ベース板２０の活用により照明部を簡単に持ち運びでき、また照明部の不使用時にはゲージとは別に簡単に保管できる。
この磁性ベース板２０を基板２、スライド体３０等に吸着させるためには、その材質は吸磁性材料を用いる必要がある。
【００３５】
図１１は、図１０の分解図であり、複数個の丸孔１６を持つ基板２に支持脚４、４’を蝶ネジ１５、１５’により回動可能に締めたゲージを説明する模式図である。
基板２上の丸孔１６は複数個あるので、簡単に他の丸孔に移動可能であり、またこの支持脚の移動によって支持脚間の間隔が簡単に変えることができる。
また、図１３の分解図に示されるように、挟持板１８、連結板１９、挟持板１８’のように３枚重ね等しても良い。
【００３６】
図１２は、基板２の両端部に支持脚４、４’、４ａ、４ｂを連設して設け、他端にスライド体３０を基板２に嵌挿して上下にスライド可能にし且つ支持脚４’、４ｂをスライド体３０とは別個に両者が組立可能に設けたゲージを示す模式図である。
このスライド体３０は組立式の代わりに支持脚４’が一体化したスライド体としても良い（特開２００２−−２２４３２０号公報の図４参照）。
更に、照明部３、３’；３ａ、３ｂを支持脚下方に、スイッチ部６、電源部１２とをス
ライド体３０に設け、照明部３、３’；３ａ、３ｂ間を回路構成（回路Ａ〜Ｄ１１、１１’；１１ａ、１１ｂ）により結線させている。
図示するように、配線構成を電車のパンタグラフのように照明部に電力を供給しても良い。この配線には例えば銅線プリント回路を用いても良い。
基板２とスライド体３０間をガイド部を介してラッチ状にして仮固定可能としても良い（特開２００２−−２２４３２０号公報参照）．
【００３７】
図１３−（イ）は、基板２の両端に２個づつの支持脚４、４’；４ａ、４ｂを蝶ネジ１５、１５’、１５ａ、１５ｂにより回転可能に締めたゲージを説明する模式図である。そして、支持脚４、４’；４ａ、４ｂの夫々上方・下方側部に角度測定冶具１０、１０’；１０ａ、１０ｂを組立可能に設けたゲージを説明する模式図である。
図１３−（ロ）は、図１３−（イ）の分解図であり、基板２は、連結部Ａ、Ｂと挟持板Ａ、Ｂ１８、１８’により支持脚４、４’；４ａ、４ｂを回動可能に締め得る状態を示す模式図である。
また、図１１にも示されるように、基板２に支持脚４、４’；４ａ、４ｂを蝶ネジで固定する方法を採用しても良い。
【００３８】
図１４は、図１の馬蹄型ゲージにおいて、その支持脚４、４’と基板２とが互いに嵌合する凸部２１、２１’と凹部２２、２２’により着脱自在とされたゲージを説明する模式図である。
図１５は、図１の馬蹄型ゲージにおいて、支持脚４とその脚部４ｄとが互いに嵌合する凸部２１、２１’と凹部２２、２２’により着脱自在とされたゲージを説明する模式図である。
図１４、１５のゲージによると、支持脚に設けられた希望の角度測定面及び又は角度測定冶具を簡単に交換できる。
【００３９】
図１−（ロ）、２、３；図５−（イ）、６、１０に示すように、１°単位で角度測定面５、５’や角度測定冶具１０、１０’を異にする支持脚を交換するのみで多様な角度測定が可能である。
このようにすることによって、支持脚の角度測定面の変更及び／又は角度測定冶具と着脱可能とすることで、多様な角度測定に対応することができ、全ての角度測定のためのゲージ１を多数用意することがなく、取り扱いが容易で、製品管理がし易く、経済的である。
【００４０】
図１０、１１、１３に示されたゲージを用いた最も良い用途について思考する。
即ち、（イ）例えばＡと言う機種のパチンコ台が１００台有ったとする。
（ロ）この１００台の内、とても客向けの良いデータの台があったと仮定する。（ハ）この台を仮に１番台とする。
（ニ）このパチンコ台の約２００本からなる釘の内、ａと言う釘が重要であって、全ての残りの台も、このａの釘角度にしたいと思った時の次の行動を考える。（ホ）（ａ）まず、ゲージの蝶ネジを緩めると支持脚が上下に揺れる。
（ｂ）このａ釘に角度測定冶具を合わせる。
（ｃ）蝶ネジを締め固定する。
（ｄ）他の残りの９９台のパチンコ台のａ釘を、この角度測定冶具に合わせて調整する。
（ヘ）１００台の台総てが客向けの良い台に仕上（調整）がったことになる。
（ト）結局、２つの釘角度に対応可能であることが分かる。
【００４１】
図１０に示されたゲージは、基板に取り付けた支持脚が蝶ネジの緩めにより上下に回動可能となる（支持脚が上下に回動することによって、基板に対して図１６のように鋭角に
なる場合もある）としているのに対して、図１６のゲージでは、基板に対して支持脚が上下に回転移動した結果、相対する支持脚が鋭角で固定されたケースに相当する。
【００４２】
図１６のゲージによると、鋭い釘角度に対応でき、基板と支持脚とが必ずしも直角にしなくても良い。
また、図１６−（イ）、（イ’）の場合に上下逆向きも使用可能であり、（イ’）では角度測定冶具１０が２０°であって下り釘用に、（ロ’）では角度測定冶具１０’が６０°であって上り釘用に用いられる。
図１６において、基板２には、種々の形状の滑り止め穴（滑り止め孔１４、三角穴２３、四角穴２３’）を必要に応じて１個又は複数個用いることができ、基板も矩形状２に限らず、楕円状２ａ等でも良い。
【００４３】
図１０、１３のような角度測定冶具付きゲージにおいて、基板と支持脚及び／又はスライド体の接触面等にラッチを設けて強い力では回動するが、少しの力では回動しない仮固定状態としても良い。
図１７は、Ｈ状ゲージの各支持脚４、４’；４ａ、４ｂの上方側部に四角形状角度測定冶具１０、１０’；１０ａ、１０ｂを着脱自在に設けたゲージを示す模式図である。
【００４４】
図１８〜２５に示した角度測定冶具の外形の種類には、角度測定冶具と共に、角度測定のために必要な補助仕組み（例えば、種類１の（チ）短４角柱、種類２の（ハ）短丸棒、種類３の（ロ）釘軸合線、種類３の（ハ）、（ニ）凹溝、種類８の（ハ）短長方板も含む。
図１８は、角度測定冶具の外形の種類１の（形状）と（使用例）を示し、（イ）は角度測定矩形面付き先端丸型冶具、（ロ）は上側一体型の楔形冶具、（ハ）は上側着脱型の楔形冶具、（ニ）は下側一体型の楔形冶具、（ホ）は下向着脱型の楔形冶具、（ヘ）は両側一体型楔形冶具、（ト）は両側着脱型楔形冶具、
（チ）は上向短四角柱一体型、（リ）は上向短四角柱着脱型、（ヌ）は下向短四角柱一体型、（ル）は下向短四角柱着脱型を示す。
【００４５】
図１９は、角度測定冶具の外形の種類２の（形状）と（使用例）を示し、（イ）は両側短四角柱一体型冶具、（ロ）は両側短四角柱脱型冶具、又は短四角柱は四角形に限らず、また冶具の両左右等に設けても良い。また、１つ、３つ等幾つでも良い。
（ハ）は短丸棒冶具型、また、丸棒に限らず、左右等に設けても良い。また、３つ、４つ等幾つでも良い。
（ニ）は右付け長方板型冶具、（ホ）は左付け長方板型冶具、（ヘ）は両側付け長方板型冶具、（ト）は四角錐型冶具又は四面体型でも先広形（逆四角錐）でも良い。
（チ）は上（下）面付け先細長方板型冶具、（リ）は上（下）面付け逆細長方板型冶具、（ヌ）は上（下）面付け先薄長方板型冶具又は先広形でも良い。
【００４６】
図２０は、角度測定冶具の外形の種類３の（形状）と（使用例）を示し、（イ）は支持脚自体を角度測定面としての利用、（ロ）は支持脚の中心に釘軸合線２４付きまたは左側に設けても良いし、（ハ）は（イ）の矩形板状冶具の途中の一側面に凹溝１３を設けて釘傘の回避、また、凹溝は冶具の下側に設けても良い。
（ニ）は（イ）の矩形状冶具の途中の両側面に凹溝１３、１３’を設けて釘傘の回避、
（ホ）は（イ）の矩形板状冶具の当接面を丸型の丸み２９とし、冶具６の角度変化の時に、パチンコ盤面とスムースに接触可能であり、図２０に記載の冶具全てに応用可能であり、
（ヘ）は長二股型冶具３４であって、ａ−ｂ、ｃ−ｄの平行で合わせる、（ト）は矩形板状支持脚の側面に互いに離れた短丸棒２６を設け短丸棒２６と釘軸９とを合わせるか、また、短丸棒に限らず、左に、左右に設けても良く、また、３つ、４つ等設けても良く、
（チ）は矩形状支持脚に長方板２７を設け、また、左側に、または左右に設けても良い。
【００４７】
図２１は、角度測定冶具の外形の種類４の（形状）と（使用例）を示し、（イ）上下面矩形板型（着脱自在式又は一体式も可能）では上下２面で計測が可能であり、また冶具を水平にしての使用も可能である。（ロ）板状型で当接面が丸型であって丸み２９を有すると当接面が直線（ロ’）の場合のように支持脚がパチンコ盤面８から浮くことがなく、盤面上に冶具が安定して接地できる（ロ”）。
（ハ）台形型、
（ニ）支持脚に凹溝１３付き、また、凹溝は冶具の下側、上下に設けても良い。
（ホ）凹溝１３付きの支持脚では、そこに設ける冶具は一体型、着脱型に適用可能であり、また、凹溝は冶具の下側に設けても良く、また、先端が丸型であって丸み２９を有し、この技術は本発明の全ての冶具に応用可能であり、（ヘ）両側凹溝付き１３、１３’であり、
（ト）、（チ）低壁部着脱ベース板型、（リ）高壁部着脱ベース板型では、低壁部４２、高壁部４２’の数は、ベース板４３上に２個に限らず幾つでも可能であり、また、このベース板型は壁部の高さによって、上下に角度変化が可能であり、支持脚とベース板４３との位置によって左右に角度変化が可能であり、釘角度３６０°計測が可能である。
【００４８】
図２２は、度測定冶具の外形の種類５の（形状）と（使用例）を示し、（イ）低壁部一体（着脱式）ベース板型での使用例は（イ’）横視図であり、（ロ）高壁部一体ベース板型では、（ロ’）の見下し図の使用例で分かるように左右の角度変化が可能である。
（ハ）〜（ホ）は丸形であって、その中（ハ）円錐型では、丸形なので釘角度３６０°の計測可能であり、円錐面に釘軸合線２４を入れるとそれに合わせて計測を行い得て使い易く、（ハ’）の横視図による使用例で分かるように、大きく、小さく、楕円状にしたりして、多様なパターンが可能であり、（ニ）逆円錐型、（ホ）円筒型である。また、丸形の他に楕円等でも良い。
（ヘ）〜（ト）は三角柱型、三面体型でも良く、断面が三角形でも希望角度で形状変化するものであって、その中（ヘ）逆先細型の斜面を利用して釘角度３６０°の計測可能であり、また斜面に釘軸合線２４を入れるとそれに合わせて計測を行い得て使い易く、（ト）三角柱型である。
【００４９】
図２３は、角度測定冶具の外形の種類６の（形状）と（使用例）を示し、（イ）〜（ハ）は５角柱型又は５面体型であり、釘角度３６０°の方向で計測可能であって、その中（イ）先細型であって、５面での計測可能であり、５つのパターンの釘角度が可能であり、（ロ）逆先細型、（ハ）５角柱型である。
（ニ）〜（ヘ）は６角柱型または６面体型であって、その中（ニ）先細型であって６面にて計測可能で６つのパターンが取れ、この応用として８面体も可能であり、（ホ）逆先細型、（ヘ）正六角柱型である。
これらの冶具を活用することにより３６０°の計測が可能である。
（ト）〜（リ）は変則角柱型であって、その中（ト）２面半円状凹溝２面計測型であって、２つのパターンが取れ、また、計測部は上部のみ、下部のみ、左右等に設けても良い。（チ）３面半円状凹溝３面計測型であって、３つのパターンが取れ、（リ）４面半円状凹溝４面計測型であって、４つのパターンが取れる。
これらの冶具を活用することにより３６０°の計測が可能である。
【００５０】
図２４は、角度測定冶具の外形の種類７の（形状）と（使用例）を示し、（イ）〜（チ）は全て釘角度３６０°方向の計測可能であって、その中（イ）４面半円状凹溝４面計測型であって、４つのパターンが取れ、（ロ）５面半円状凹溝５面計測型であって、５つのパターンが取れ、（ハ）６面半円状凹溝６面計測型であって、６つのパターンが取れ、（ニ）７面半円状凹溝７面計測型であって、７つのパターンが取れ、（ホ）８面半円状凹溝
８面計測型であって、８つのパターンが取れ、また、それ以上半円状凹溝を設けても良い。
（ヘ）２枚組の４隅角取り直方板型であって、４面計測可能で４つのパターンが取れ、１隅、２隅等幾つも設けても良く、２枚以上設けても良い。
（ト）十字状角柱４面計測型であって、４つのパターンが取れ、１隅、２隅等幾つも設けても良い。（チ）格子状角柱８面計測型であって、８つのパターンが取れ、１隅、２隅等幾つも設けても良い。
【００５１】
図２５は、角度測定冶具の外形の種類１〜７の一部改良であって、その（形状）と（使用例）を示す。
（イ）は、図１８の（ヘ）楔状両面一体型の応用であって両側一体型であり、（ロ）は図２０の（ヘ）の長二股型の応用であって長二股型であり、長二股部が図２０の（ヘ）の場合に比して薄型であり、
（ハ）は図１９の（ニ）の長方板型の応用であって短長方板型であり、この短長方板は２枚に限らず何枚でも良く、また冶具の左右等に設けても良い。
（ニ）は図２３−（ニ）の６角形型の応用であって八角錐先細型である。
図２６は、角度の呼称例を示し、（イ）釘９をパチンコ盤面８に垂直方向に、（ロ）は釘９を水平方向にセットした場合を示す。
【００５２】
図２７は、基本型の馬蹄形である図１のゲージの変型であって、支持脚４とパチンコ盤面８とが必ずしも平行でなくてもゲージとして成立する事例〔（ロ）、（ニ）、（ヘ）等〕、或いは支持脚４が基板２に直角でなくてもゲージとして成立する事例〔（イ）〜（ヘ）等〕を説明する模式図である。
図２７では、（イ）において、Ａ＞Ｂ→１＝２、
（ロ）において、Ｃ＝Ｄ→１＜２、
（ハ）において、Ｆ＞Ｈ→１＝２、
Ｅ＞Ｇ→１’＝２’、
（ニ）において、Ｊ＝Ｌ→１＜２、
（ホ）において、Ｎ＞Ｐ→１＝２、
Ｍ＞Ｏ→１’＝２’、
（ヘ）において、Ｑ＝Ｒ→１＜２である。
【００５３】
[本発明のゲージの特徴]
（１）支持脚は必ずしも同じ長さでなくても良い。要するに、基板２とパチンコ盤面８とが平行を保てれば十分である（図９参照）。
（２）基板２とパチンコ盤面８とは必ずしも平行でなくても良い（図２７参照）。
（３）基板２と支持脚４とは必ずしも直角でなくても良い（図１０、１２、１３、１６、２７参照）。
（４）支持脚４は、基板２と一体でも、又は支持脚４と基板２とが別個に構成されて組立式であって支持脚４が回動自在であっても良い（図１０、１１、１３参照）。
（５）スライド体３０は支持脚４’と一体（特開２００２−２２４３２０号公報の図４参照）にされても組立式（図１２参照）であっても良い。
（６）基板２と支持脚４及び／又はスライド体３０との接触面等にラッチ等を設けて両者を仮固定しても良い。
（７）支持脚（角度測定面も含む）は、上向き、下向き、左右方向、更に斜め方向等の計測が可能である。
（８）角度測定冶具１０、１０’は支持脚４、４’に一体に或いは着脱自在に設けられても良い。
（９）０°〜３６０°の方向の釘角度に対応可能である。
（１０）支持脚、各角度測定冶具の角度ピッチは１°のみならず、０．１°単位等も使
用可能である。
（１１）照明部３は支持脚４の下方部の表裏面又は冶具に一体に（図１、１２）且つスイッチ部６、電源部１２を基板２又はスライド体３０に設けるか（図１−（イ）、４、１２参照）或いは、ゲージ１とは別個にスイッチ部６、電源部１２等を磁性ベース板２０に載せ照明部３を豆球等として（図１０−（ロ）参照）、着脱自在とできる。
（１２）角度測定面５、５’を兼ねる支持脚の下方側面に釘９を係止するためのフックを設けても良い（特開２００２−２２４３２０号公報参照）。
【産業上の利用可能性】
【００５４】
本発明のゲージを使用することで熟練を要することなく釘の上下および左右の角度測定および角度調整を行うことができ、パチンコ業界において店の利益向上とともに客の満足感を共に達成することができ、パチンコの遊戯性を高め、パチンコ業界の発展に寄与するものである。
【図面の簡単な説明】
【００５５】
【図１】本発明の釘角度測定ゲージの馬蹄形の基本型を示す模式図である。  図１−（イ）はゲージの支持脚の下方に照明部を一体に設ける場合を示し、図１−（ロ）はゲージの肩部に角度表示をした場合を示す。
【図２】図１の角度表示の仕方を説明する模式図である。
【図３】図１のゲージをパチンコ盤面８に水平に置いて角度測定をする場合の状態を説明する模式図である。
【図４】図１の馬蹄型ゲージを背中合わせに一体化したＨ型ゲージに相当し、支持脚には照明部を一体に設けてたゲージを示す模式図である。
【図５】図１のゲージの支持脚の上方・下方側部に夫々角度測定冶具を一体に設け、基板に滑り止め孔２個設けたゲージを説明する模式図である。  図５−（ロ）は、図５−（イ）のゲージを使用して釘角度を測定・調整する場合を説明する模式図である。
【図６】支持脚の両側に角度測定冶具を一体に設け矢尻形状にした場合を説明する模式図である。基板の両端に滑り止め孔を設けたゲージを示す模式図である。
【図７】図１の馬蹄形ゲージを背中を合わたＨ形状のゲージであり、その基板２に連設した支持脚４、４’とは反対側にも複数の角度測定面をも構成する支持脚を設け、基板に滑り止め孔を設けた場合を説明する模式図である。
【図８】図１のゲージに対して、基板の反対側にも支持脚を連設し、この支持脚の間隔を他の支持脚の間隔より狭くした場合を説明する模式図である。このゲージは図７のＨ型ゲージの変型に相当する。
【図９】樹木型のゲージであって、基板に連設される支持脚は突出長は同じでなく、支持脚の数、長さ、位置、その間隔等は夫々異なっているゲージを説明する模式図である。
【図１０】図１０−（イ）は、支持脚を基板に回動自在に取り付け、基板中に複数個の丸孔を設け、支持脚を容易に移動できるゲージを示す模式図である。  図１０−（ロ）は、豆球ランプ等の照明部をゲージとは別個に設け、スイッチ部、電源部等を磁性ベース板上に載せて取外し自在とした簡易型照明部を示す模式図である。
【図１１】図１０の分解図であり、複数個の丸孔を持つ基板に支持脚を蝶ネジにより回動可能に締めたゲージを説明する模式図である。
【図１２】基板の端部に支持脚を連設して設け、他端にスライド体を基板に嵌挿して上下にスライド可能とし、支持脚をスライド体とは別個に組立可能に設けたゲージを説明する模式図である。  支持脚に照明部を設け、スライド体上にスイッチ部、電源部を設け回路で結んだゲージである。
【図１３】図１１のゲージでは回動可能な支持脚が基板の両端に２個であるのに対して、図１３−（イ）では基板の両端に２個ずつであり、図１３−（ロ）図は、その分解図である。
【図１４】図１の馬蹄型ゲージにおいて、その支持脚と基板とが互いに嵌合する凸部、凹部により着脱自在とされたゲージを説明する模式図である。
【図１５】図１の馬蹄型ゲージにおいて、支持脚とその脚部とが互いに嵌合する凸部、凹部により着脱自在とされたゲージを説明する模式図である。
【図１６】支持脚が鋭い釘角度に対応できるゲージを説明する模式図である。  基板等に種々の形状の滑り止め穴を設け、基板の形状も矩形に限らず、楕円形も可能であるゲージを説明する模式図である。
【図１７】Ｈ状ゲージの各支持脚にその下方側部に四角形状角度測定冶具を着脱自在に設けたゲージを示す模式図である。基板の中央に滑り止め孔６を設けている。
【図１８】角度測定冶具の種類１の（形状）と（使用例）を示し、（イ）〜（ト）は楔型冶具であり、（イ）角度測定面付き先端丸型冶具、（ロ）は上側一体型、、（ハ）は上側着脱型、（ニ）は下側一体型、（ホ）は下側着脱型、（ヘ）は両側一体型、（ト）は両側着脱型を示し、（チ）は上向短四角柱冶具一体型、（リ）は上向短四角柱冶具着脱型、（ヌ）は下向短四角柱冶具一体型、（ル）は下向短四角柱冶具着脱型を示す。
【図１９】角度測定冶具の種類２の（形状）と（使用例）を示し、（イ）両側短四角柱一体型、（ロ）両側短四４角柱着脱型、（ハ）短丸棒型、（ニ）右付け長方板型、（ホ）左付け長方板型、（ヘ）は両側付け長方板型、（ト）は四角錐型、（チ）上面付先細長方板型、（リ）上面付逆細長方板型、（ヌ）上面付先薄長方板型である。もちろん、（チ）〜（ヌ）の冶具は上面付に限らず下面付でも良い。
【図２０】角度測定冶具の種類３の（形状）と（使用例）を示し、（イ）板状角度測定面型、（ロ）釘軸合線付き、（ハ）片側凹溝付き、（ニ）両側凹溝付き、（ホ）先端丸型であって丸み付け、（ヘ）長二股型、（ト）短丸棒型、（チ）右付け長方板型である。
【図２１】度測定冶具の種類４の（形状）と（使用例）を示し、（イ）上下面矩形板型（着脱自在式又は一体式も）、（ロ）矩形板型（先端丸型）、（ハ）台形型、（ニ）片側凹溝付き、（ホ）凹溝付き、（ヘ）両側凹溝付き、（ト）低壁部着脱ベース板型、（リ）高壁部着脱ベース板型である。
【図２２】度測定冶具の種類５の（形状）と（使用例）を示し、（イ）低壁部一体式ベース板型、（ロ）高壁部一体式ベース板型、（ハ）円錐型、（ニ）逆円錐型、（ホ）円筒型、（ヘ）逆先細三角柱型、（ト）正三角柱型である。
【図２３】角度測定冶具の種類６の（形状）と（使用例）を示し、（イ）先細五角形型、（ロ）逆先細五角形型、（ハ）正５角柱型、（ニ）先細六角形型、（ホ）逆先細六角形型、（ヘ）正六角柱型、（ト）２面半円状凹溝２面計測型、（チ）３面半円状凹溝３面計測型、（リ）４面半円状凹溝４面計測型である。
【図２４】角度測定冶具の種類７の（形状）と（使用例）を示し、（イ）４面半円状凹溝４面計測型、（ロ）５面半円状凹溝５面計測型、（ハ）６面半円状凹溝６面計測型、（ニ）７面半円状凹溝７面計測型、（ホ）８面半円状凹溝８面計測型、（ヘ）２枚組の４隅角取り直方板型、（ト）十字状角柱４面計測型、（チ）格子状角柱８面計測型である。
【図２５】角度測定冶具の種類１〜７の一部改良であって、その（形状）と（使用例）を示し、（イ）両側一体楔型、（ロ）長二股型、（ハ）短長方板型、（ニ）八角錐型である。
【図２６】角度の呼称例を示し、（イ）釘９をパチンコ盤面８に垂直方向に、（ロ）は釘９を水平方向にセットした場合を示す。
【図２７】基本型の馬蹄形である図１のゲージの変型であって、支持脚とパチンコ盤面とが必ずしも平行でなくてもゲージとして成立する事例、或いは支持脚が基板に直角でなくてもゲージとして成立する事例を説明する模式図である。
【符号の説明】
【００５６】
１  ゲージ
２  基板
３、３’；３ａ、３ｂ  照明部Ａ、Ｂ、Ｃ、Ｄ
４、４’；４ａ、４ａ’；４ｂ、４ｂ’；４ｃ、４ｃ’支持脚
４ｄ  脚部
５、５’；５ａ、５ａ’、５ｂ  角度測定面
６  スイッチ部
７、７’  当接面
８  パチンコ盤面
９  釘
１０、１０’、１０ａ、１０ｂ  角度測定冶具
１１、１１’回路Ａ、回路Ｂ
１１ａ、１１ｂ  回路Ｃ、回路Ｄ
１２  電源部
１３、１３’  凹溝
１４、１４’  滑り止め孔
１５、１５ａ、１５ｂ  蝶ネジ
１６  丸孔
１７  ナット
１８、１８’  挟持板Ａ、挟持板Ｂ
１９、１９’連結部Ａ、連結部Ｂ
２０  磁性ベース板
２１、２１’  凸部
２２、２２’  凹部
２３、２３’段差
２４  釘軸合線
２５、２５’  ４角柱
２６、２６’  短円柱
２７、２７’  長方板
２９  丸み
３０  スライド体
３１  ガイド部
３２  配線
３３、３３’  止めネジ
３４  長二股部
３５  短直方板
４１  半円状凹溝
４２、４２’  低壁部、高壁部
４３  ベース板
４５  角取り
【図１】
2006346474.tif 000003
【図２】
2006346474.tif 000004
【図３】
2006346474.tif 000005
【図４】
2006346474.tif 000006
【図５】
2006346474.tif 000007
【図６】
2006346474.tif 000008
【図７】
2006346474.tif 000009
【図８】
2006346474.tif 000010
【図９】
2006346474.tif 000011
【図１０】
2006346474.tif 000012
【図１１】
2006346474.tif 000013
【図１２】
2006346474.tif 000014
【図１３】
2006346474.tif 000015
【図１４】
2006346474.tif 000016
【図１５】
2006346474.tif 000017
【図１６】
2006346474.tif 000018
【図１７】
2006346474.tif 000019
【図１８】
2006346474.tif 000020
【図１９】
2006346474.tif 000021
【図２０】
2006346474.tif 000022
【図２１】
2006346474.tif 000023
【図２２】
2006346474.tif 000024
【図２３】
2006346474.tif 000025
【図２４】
2006346474.tif 000026
【図２５】
2006346474.tif 000027
【図２６】
2006346474.tif 000028
【図２７】
2006346474.tif 000029